(57)【特許請求の範囲】
【請求項１】
保管庫の扉の表面に形成された取付孔に回動可能に取り付けられ、
前記扉を開く場合に、ハンドルを、前記ハンドルの一端を基点として前記取付孔から外部に回動させ、前記取付孔の外部で前記ハンドルを旋回させることにより扉施錠部材を移動させ、前記扉を施錠状態又は非施錠状態とする錠付ハンドルにおいて、
前記扉と接面して固定される固定板と、前記扉を開閉する前記ハンドルを有するハンドル部と、前記ハンドル部と前記固定板とのスペースを埋めるスペーサと、を有すること、
前記ハンドル部は、
前記ハンドルに係合することにより、前記ハンドルが前記取付孔から外部に回動することを禁止する可動係合部材と、
ＩＣタグを備えるデジタルキーが装着されたときに、ＩＤデータを読取る読取り手段と、
解錠が許可された前記デジタルキーのＩＤデータを記憶するメモリと、
前記読み取り手段が読取った前記ＩＤデータが、前記メモリが記憶するＩＤデータと一致したとき、駆動手段により、前記可動係合部材を非係合位置に移動させるコントローラと、を有すること、
前記固定板は、前記扉の外部から取り付けられ、取り付け方向とは反対の方向からねじ止めされること、
を特徴とする錠付ハンドル。
【発明の詳細な説明】
【技術分野】
【０００１】
本発明は、保管庫の扉の表面に形成された取付孔に取り付けられ、扉施錠部材を移動させることで前記扉を施錠状態又は非施錠状態とする錠付ハンドルに関するものである。
【背景技術】
【０００２】
従来、扉に後付錠を取付けるものには、本出願人が発明した特許文献１に係る後付錠がある。例えば、特許文献１の後付錠は、アナログ式の錠前が取り付けられている保管庫に対して、デジタル式の後付錠を取り付けることで、複数の保管庫に１つのデジタルキーを用いてアクセス可能な状態とすることができるようにした。１つのデジタルキーを用いてアクセス可能な状態を作り出すことにより、複数の鍵を所持する必要がなくなった。また、デジタル式にすることにより、保管庫を使用した使用者の履歴を取ることができる。それにより、セキュリティ性を向上させることができるようになった。
【先行技術文献】
【特許文献】
【０００３】
【特許文献１】特開２００９-９７２７７号公報
【発明の概要】
【発明が解決しようとする課題】
【０００４】
しかし、特許文献１に係る後付錠は、以下のような問題がある。
保管庫にもともと形成されているアナログ式の錠前を用いたロック機構は施錠状態にあるとき、保管庫の扉に対して開閉方向の一点をロックし、及び、上下方向の二点でロックする。しかし、特許文献１に係る後付錠は、保管庫に形成されているアナログ式の錠前とは無関係の扉の表面部分に取り付け開閉方向の一点をロックするのみであった。そのため、扉に対して上下方向の二点のロックを行うことができなかった。したがって、もともと形成されている錠前と異なり一点でロックを行うため、施錠したときのセキュリティ性がもともと形成されている錠前と比較して弱い点に問題があった。
【０００５】
この発明は上記事情に鑑みてなされたものであって、その目的は、もともと保管庫の扉に形成されている取付孔をそのまま利用し、かつ、もともと保管庫に形成された施錠装置を利用することができる後付の錠付ハンドルを提供するものである。
【課題を解決するための手段】
【０００６】
上記目的を達成するために、本発明の一態様における錠付ハンドルは、以下の構成を有する。
（１）保管庫の扉の表面に形成された取付孔に取り付けられ、扉施錠部材を移動させることで前記扉を施錠状態又は非施錠状態とする錠付ハンドルにおいて、前記扉と接面して固定される固定板と、前記扉を開閉するハンドルを有するハンドル部と、前記ハンドル部と前記固定板とのスペースを埋めるスペーサと、を有すること、前記ハンドル部は、ＩＣタグを備えるデジタルキーが装着されたときに、ＩＤデータを読取る読取り手段と、解錠が許可された前記デジタルキーのＩＤデータを記憶するメモリと、前記読取り手段が読取った前記ＩＤデータが、前記メモリが記憶するＩＤデータと一致したとき、駆動手段により、可動係合部材を非係合位置に移動させるコントローラと、を有すること、前記扉の前記取付孔を用いて後付けするものであること、を有することを特徴とする。
【０００７】
（２）（１）に記載する錠付ハンドルにおいて、前記扉施錠部材は、前記扉に対して開閉方向にロックを掛ける開閉方向ロック機能及び前記扉に対して上下方向にロックを掛ける上下方向ロック機能とを有すること、が好ましい。
【０００８】
（３）（１）又は（２）に記載する錠付ハンドルにおいて、前記固定板に配線抜きが形成されていること、前記ハンドル部に形成された配線は、前記配線抜き及び前記取付孔を挿通すること、が好ましい。
【０００９】
（４）（１）乃至（３）に記載するいずれか一つの錠付ハンドルにおいて、前記固定板に位置決めピンを取り付けること、前記位置決めピンを前記取付孔に合わせて前記扉に取付を行うこと、が好ましい。
【００１０】
（５）（１）乃至（４）に記載するいずれか一つの錠付ハンドルにおいて、既存の錠付ハンドルと付け替えできること、が好ましい。
【発明の効果】
【００１１】
上記錠付ハンドルの作用及び効果について説明する。
（１）扉と接面して固定される固定板と、扉を開閉するハンドルを有するハンドル部と、ハンドル部と固定板とのスペースを埋めるスペーサと、を有すること、ハンドル部は、ＩＣタグを備えるデジタルキーが装着されたときに、ＩＤデータを読取る読取り手段と、解錠が許可された前記デジタルキーのＩＤデータを記憶するメモリと、読取り手段が読取ったＩＤデータが、メモリが記憶するＩＤデータと一致したとき、駆動手段により、可動係合部材を非係合位置に移動させるコントローラと、を有すること、扉の取付孔を用いて後付けするものであることにより、現在使用している保管庫にそのまま取り付けることができる。
現在使用している保管庫の取付孔をそのまま用いて取り付けることができることにより、もともと保管庫に取り付けられているロック機構を用いることができるため強固にロックすることができる。
【００１２】
また、本発明の錠付ハンドルの開閉にはデジタルキーが使われている。デジタルキーは、鍵の把持部に内蔵された端子が挿入部に設けられているＩＣタグを備える。デジタルキーが、装着されたときに、ＩＣデータ読取り手段が、ＩＤデータを読取る。読取り手段が読取ったＩＤデータが、メモリが記憶する解錠が許可されたデジタルキーのＩＤデータと一致したとき、コントローラが起動してハンドルを可動可能な状態にする。
反対に、読取り手段が読み取ったＩＤデータが、メモリが記憶する解錠が許可されたデジタルキーのＩＤデータと一致しないとき、解錠が許可されずハンドルを可動させることができない。
【００１３】
複数の保管庫に取付けられた複数の錠付ハンドルのコントローラに当該デジタルキーのＩＤデータを記憶させておく。オフィス内の全ての保管庫に本発明の錠付ハンドルを採用すれば、同じ１つの鍵を所持しているだけで、オフィス内の全ての保管庫の全ての収納ボックスに対して、その人が正当な権限を有していれば、中の書類にアクセスすることができる。複数の人が利用しても、デジタルキーに内蔵されたＩＣタグにより、個人の認証を行い、その認証したデータに基づいて、その保管庫へのアクセス権を確認して、保管庫の開閉可能状態を制御しているため、アクセス権のない人による開閉を防止しつつ、利用者は、１つの鍵で必要とする多数の収納ボックスを開閉することができる。
【００１４】
また、施錠することができるようになるため、誰しもが保管庫に収容されている情報にアクセスできるわけではなくなるため、個人情報を厳重に保護することができる。それによって、プライバシーの問題を解決することができる。
また、現在使用している保管庫に、新しく錠を付けるのであれば、新しく保管庫を購入するよりも安価で購入でき、さらに、保管庫を変える必要がないため労力も要らない。
【００１５】
（２）扉施錠部材は、扉に対して開閉方向にロックを掛ける開閉方向ロック機能及び扉に対して上下方向にロックを掛ける上下方向ロック機能とを有することにより、もともと保管庫に取り付けられているロック機構である上下方向のロック及び開閉方向のロックを行うことができるため強固にロックをすることができる。
【００１６】
（３）固定板に配線抜きが形成されていること、ハンドル部に形成された配線は、配線抜き及び取付孔を挿通することにより、扉の裏面で配線することができる。そのため、配線を切断されたり、直接通電による解除を防止することができるためセキュリティ性を向上させることができる。
【００１７】
（４）固定板に位置決めピンを取り付けること、位置決めピンを取付孔に合わせて扉に取付を行うことにより、容易に錠付ハンドルを扉に取り付けることができる。
【００１８】
（５）既存の錠付ハンドルと付け替えできることにより、保管庫はそのままにセキュリティ性を向上させることができる。
【図面の簡単な説明】
【００１９】
【図１】本発明に係る錠付ハンドルの外観上方斜視図である。
【図２】本発明に係る錠付ハンドルの正面図である。
【図３】本発明に係る図２に示す錠付ハンドル（閉錠時）のＡＡ断面図である。
【図４】本発明に係る図２に示す錠付ハンドル（解錠時）のＡＡ断面図である。
【図５】本発明に係る錠付ハンドルのハンドル部動作時のＡＡ断面図である。
【図６】本発明に係る錠付ハンドルの背面図である。
【図７】本発明に係るハンドル部の背面図である。
【図８】本発明に係るスペーサの正面図である。
【図９】本発明に係るスペーサの側面図である。
【図１０】本発明に係る固定板の正面図である。
【図１１】本発明に係る扉施錠部材が施錠状態に位置する錠付ハンドルである。
【図１２】本発明に係る扉施錠部材が非施錠状態に位置する錠付ハンドルである。
【図１３】本発明に係るブロック図である。
【図１４】本発明に係る錠付ハンドルの取付工程（１）を示す図である。
【図１５】本発明に係る錠付ハンドルの取付工程（２）を示す図である。
【図１６】本発明に係る錠付ハンドルの取付工程（３）を示す図である。
【図１７】本発明に係る錠付ハンドルの取付工程（４）を示す図である。
【図１８】本発明に係る錠付ハンドルの取付工程（５）を示す図である。
【図１９】本発明に係る錠付ハンドルの取付工程（６）を示す図である。
【発明を実施するための形態】
【００２０】
次に、本発明に係る錠付ハンドルを具体化した実施形態について図面を参照して詳細に説明する。
＜錠付ハンドルの構成＞
図１に、錠付ハンドル１の解体外観上方斜視図を示す。図２に、錠付ハンドル１の正面図を示す。図３に、図２に示す錠付ハンドル（閉錠時）のＡＡ断面図を示す。図４に、図２に示す錠付ハンドル（解錠時）のＡＡ断面図を示す。図５に、錠付ハンドルのハンドル部動作時のＡＡ断面図を示す。図６に、錠付ハンドル１の背面図を示す。図７に、ハンドル部１０の背面図を示す。図８に、スペーサ４０の正面図を示す。図９に、スペーサ４０の側面図を示す。図１０に、固定板５０の正面図を示す。図１１に、扉施錠部材が施錠状態に位置する錠付ハンドルを示す。図１２に、扉施錠部材が非施錠状態に位置する錠付ハンドルを示す。図１３に、ブロック図を示す。
【００２１】
図１に示す錠付ハンドル１は、図１４に示す錠付ハンドル２００が取り付けられていた取付孔３に後付で取り付けるものである。錠付ハンドル１は、図１５に示すように、ハンドル部１０、スペーサ４０、固定板５０、固定金具６０（図１７に示す。）、扉施錠部材４（図１８に示す。）等を有する。
【００２２】
図２に示すハンドル部１０は、扉施錠部材４を手動で施錠状態又は非施錠状態に移動させるための部材である。図２に示すように、ハンドル部１０の本体部１３の正面には、ハンドル１１、錠孔１２、緊急解錠装置１４が形成されている。
図３及び図４に示すように、ハンドル部１０の本体部１３の内部には、ソレノイド１５、ハンドルロック１６、キーロック１７、キーロック戻し１８、ハンドルロック押圧部材２２等が形成されている。ハンドル部１０の本体部１３のその他の内部の構造は従来技術と変わるところがないため、詳細な説明は割愛する。
【００２３】
図３に示すように、ハンドル１１の内側部１１Ｄにはスペースが形成されている。ハンドル１１の一端は、回転部材５の固定軸５Ｂと係合する支点部１１Ｂである。また、他端は、ハンドルロック１６と図３に示すように係合された状態又は図４に示すように非係合された状態となるロック凹部１１Ａが形成されている。
ハンドルロック１６は、ソレノイド１５の動作によりロック凹部１１Ａと係合状態又は非係合状態となる。図３に示すように、ハンドルロック１６がロック凹部１１Ａと係合状態にあるときハンドル１１はロック状態にあり、使用者は回転部材５を回転させることができない。具体的には、図２及び図３に示す状態にあるときには、ハンドル１１は本体ガード部１３Ｃにより回転方向に回転させることができないためである。また、図３に示すように、ハンドル１１がロック状態にあるときには、ロック凹部１１Ａは内側部１１Ｄに形成されているため、外部から接触することができない。そのため、ハンドル１１を外部から回転させることができず、セキュリティ性を向上させることができる。他方、図４に示すように、ハンドルロック１６がロック凹部１１Ａと非係合状態にあるときハンドル１１はフリーな状態にあり、使用者はハンドル１１を持上回転部材５を中心に回転させることができる。
【００２４】
図３及び図４に示すように、支点部１１Ｂは固定軸５Ｂにより回転可能な状態で連結している。図４に示すように、ハンドル１１は固定軸５Ｂを中心に本体部１３からロック凹部１１Ａ側を取出すことができる。図４に示すように、ロック凹部１１Ａ側を取出すことにより、使用者はハンドル１１を握ることができ図１０に示すようにハンドル１１を水平方向に回転させることができる。図１０に示すようにハンドル１１が回転すると、回転部材５及び扉施錠部材４も同様に、図１１に示す状態から図１２に示す状態に回転する。そのため、扉のロック状態を解除することができる。
【００２５】
図３に示すように、ハンドル部１０の本体部１３の背面には、回転部材５が突出するように形成されている。さらに、回転部材５に対しては、回転部連結部材７が連結させている。回転部連結部材７は、図１８に示すように中空円筒形状をしている。
【００２６】
図３に示す扉施錠部材４は、扉２を施錠状態又は解錠状態にする部材である。図３に示すように扉施錠部材４は平板である。図１１に示すように、扉施錠部材４の一端は開閉方向にロック機構４５が突出しており他端には上ロック係合部４８が形成されている。上ロック係合部４８と開閉方向ロック機構４５の間の下方向には下ロック係合部４９が形成されている。上ロック係合部４８は上ロック機構４３と係合している。また、下ロック係合部４９は下ロック機構４４と係合している。扉施錠部材４は、もともと取付前に使用されてきた錠付ハンドル２００が使用しているものをそのまま転用して用いることもできる。本実施例においては、扉施錠部材４を転用して用いられているが、新たな扉施錠部材４を使用することも可能である。
【００２７】
図３に示す配線２３は、図１９に示す制御ボックス２９に連結している。制御ボックス２９には電源３９が接続され錠付ハンドル１に電気を供給している。また、制御ボックス２９内には錠付ハンドル１を制御するコントローラ１９が形成されている。
図１３のコントローラ１９は、ＣＰＵ１９１、制御プログラム等を記憶するＲＯＭ１９２、及びその錠を開けることが許可されているデジタルキーに対応したＩＤデータを記憶するＩＤデータ記憶メモリ１９３を有している。
ＩＤデータ記憶メモリ１９３に記憶されたＩＤデータの追加・削除・取出等は、管理者が携帯用ＰＣにより行う。ＩＤデータ記憶メモリ１９３からＩＤデータを取出しすることにより、何時に誰が解錠及び施錠をしたのかが特定することができる。そのため、責任の所在を明らかにすることができる。
コントローラ１９には、ソレノイド１５、電源３９、及び、ＩＣデータ読取り手段１９４が各々接続されている。
【００２８】
図３及び図４に示すように、デジタルキー７０の把持部の内部には、ＩＣタグ７１が内蔵されている。一対のＩＣタグ７１の接触式ＩＣタグ７２は、鍵部の両側に露出している。
【００２９】
図１７及び図５に示すように、固定金具６０は、一枚の鉄板で構成されている。また、凹み部が形成されている。凹み部が形成されていることにより、ハンドル１１の形状に合致し、ハンドル１１を固定することができる。固定金具６０に固定ネジ孔が２か所形成されている。
【００３０】
図７及び図８に示すスペーサ４０は、ハンドル部１０と固定板５０のスペースを埋めるためのものである。本実施形態においては、ハンドル部１０と固定板５０の間のスペースが約１６ｍｍ形成されるため、スペーサ４０の奥行きも同様に約１６ｍｍである。スペーサ４０は、図８に示すように長方形状であり中心部にはハンドル部１０が挿入されるスペース孔４１が形成されている。スペーサ４０の縦及び横の長さは、ハンドル部１０の縦及び横の長さと同じである。そのため、ハンドル部１０をスペーサ４０に挿入した場合に一体感が生まれ、見栄えが良くなる。
【００３１】
図９に示す固定板５０は、扉２とハンドル部１０を固定するために用いられる一枚板である。固定板５０には、四角形状の配線抜き５１が形成されている。また、固定板５０を貫通するハンドル固定ネジ孔５２及び５３が形成されている。また、円形状の回転部材５を挿入する回転部材孔５４が形成されている。さらに、回転部材孔５４及び配線抜き５１の間には、固定金具６０と固定するための固定金具孔５５が２か所に形成されている。固定金具孔５５と固定ネジ孔６２の間隔は同じ間隔で形成されている。また、固定板５０には、４つの位置決めピン孔５６が形成されている。位置決めピン孔５６の位置は、図１７に示すように取付孔３の四隅と対応する位置に形成されている。
【００３２】
＜錠付ハンドルの取付方法＞
図１４に錠付ハンドルの取付工程（１）を示す。図１５に、錠付ハンドルの取付工程（２）を示す。図１６も、錠付ハンドルの取付工程（３）を示す。図１７に、錠付ハンドルの取付工程（４）を示す。図１８に、錠付ハンドルの取付工程（５）を示す。図１９に、錠付ハンドルの取付工程（６）を示す。
【００３３】
図１４に示すように、扉２に取り付けられている錠付ハンドル２００を取付孔３から取り外す。
次に、図１５に示すようにハンドル部１０にスペーサ４０を固定板５０を介して固定ネジ８１及び８２により固定する。また、固定板５の位置決めピン孔５６に対して位置決めピン８５を取り付ける。
固定した状態で、図１６に示すように取付孔３が形成された扉２の表面２Ａに対して当接させる。取付孔３に当接させる際には、図１７に示すように位置決めピン８５が取付孔３の四隅に来るようにする。位置決めピン８５が形成されていることにより、ハンドル部１０等を容易に取付孔３に対して位置決めすることができる。また、図１７に示すように取付孔３から回転部材５及び配線２３が出るように当接させる。
さらに、固定金具６０を扉２の裏面２Ｂから金具ネジ６６及び６７を介して取り付ける。それにより、ハンドル部１０等をもともと扉２に形成されていた取付孔３に取り付けることができる。
【００３４】
次に、図１８に示すように、扉施錠部材４を回転部連結部材７及び固定ネジ６を介して固定する。回転部連結部材７、扉施錠部材４及び固定ネジ６は、もともと保管庫に使用されていた錠付ハンドル２００で使用していたものである。そのため、新規の錠付ハンドル１を取り付けても、錠付ハンドル２００と同様の施錠をすることができる。したがって、もともと保管庫に取り付けられているロック機構である上下方向のロック及び開閉方向のロックを行うことができるため強固にロックすることができる。
最後に図１９に示すように配線２３を制御ボックス２９に配設することにより錠付ハンドル１の取付けが終了する。
【００３５】
＜錠付ハンドルの作用・効果＞
次に、使用者が、錠付ハンドル１を解錠する手順を説明する。
保管庫が閉められた状態にあるときは、錠付ハンドル１は、図３及び図１１に示す施錠状態にある。
使用者が、保管庫を開けるときは、図３に示すように錠付ハンドル１が取り付けられた保管庫のところに行き、接触式ＩＣタグ７２を備えるデジタルキー７０を、錠孔１２に挿入する。デジタルキー７０は、鍵の把持部にＩＣタグ７１が内蔵され、コントローラ１９に設けられているＩＣデータ読取手段１９４が付設されている。
デジタルキー７０が装着されたときに、ＩＣデータを読取手段１９４が、ＩＣタグ７１に入っているＩＤデータを読取る。ＩＣデータ読取手段１９４が読取ったＩＤデータが、ＩＤデータ記憶メモリ１９３が記憶する解錠が許可されたデジタルキーのＩＤデータと一致したとき、ソレノイド１５を起動する。
【００３６】
また、デジタルキー７０が錠孔１２に挿入されると、キーロック１７が図３の状態から図４に示す状態に押し出される。キーロック１７が押し出されることにより、キーロック戻し１８は、軸１８Ａを中心にてこの原理により動作する。キーロック戻し１８が移動することにより、それまで押圧されていたハンドルロック押圧部材２２の一端２２Ａが弾性部材２７により押し出されハンドルロック押圧部材２２の他端２２Ｂが図４に示すように持ちあがる。それにより、図４に示すように、ハンドルロック押圧部材２２が、ハンドルロック１６がソレノイド１５側に移動した時にハンドルロック１６をロックする。ハンドルロック押圧部材２２が形成されていることにより、ソレノイド１５の通電状態を短くしてハンドルロック１６を非ロック状態とすることができるため、節電することができる。また、ハンドルロック押圧部材２２が形成されていることによりハンドルロック１６を非ロック状態で安定させることができる。
【００３７】
ソレノイド１５を起動することにより、図４に示すようにハンドルロック１６がソレノイド１５側に移動する。ハンドルロック１６がソレノイド１５側に移動することにより、ハンドルロック１６とハンドル１１のロック凹部１１Ａとの係合状態が解除される。そのため、図４に示すようにハンドル１１を引き上げることが可能となる。
【００３８】
次いで、図４に示すハンドル１１を引き上げた状態で、図１０に示すようにハンドル１１を回転させる。それにより、扉施錠部材４が図１１に示す施錠状態から図１２に示す非施錠状態に移動する。扉施錠部材４が、図１１に示す状態から図１２に示す状態に移動することで上ロック機構４３、及び、下ロック機構４４が移動し、扉２の上下方向のロックを解除する。また、図１１に示す、開閉方向ロック機構４５がロック部５９から移動し、扉２の開閉方向のロックを解除する。扉２の上下方向及び開閉方向のロックを解除することにより、扉２を開くことができる。
【００３９】
次に、使用者が、錠付ハンドル１を施錠する手順を説明する。
図１０に示すハンドル１１の位置を回転させ元の位置に戻す。それにより、扉施錠部材４が図１２に示す非施錠状態から図１１に示す施錠状態に移動する。図１２に示す状態から図１１に示す状態に移動することで上ロック機構４３、及び下ロック機構４４が移動し、扉２の上下方向のロックをする。また、開閉方向ロック機構４５がロック部５９側に移動し、扉２の開閉方向のロックをする。扉２の上下方向及び開閉方向のロックをすることにより、扉２を施錠することができる。
【００４０】
次にハンドル１１を、図４に示す引き上げた状態から図３に示す状態に戻す。ハンドル１１が図３に示す状態に戻った状態で、デジタルキー７０を錠孔１２から引き抜く。それにより、キーロック１７が図４の状態から軸１８Ａを中心にてこの原理により図３の位置に戻る。キーロック戻し１８が移動することにより、ハンドルロック押圧部材２２の他端が図３に示すようにハンドルロック１６から外れ、ハンドルロック１６はソレノイド１５から遠い位置に移動しロック凹部１１Ａと係合状態となる。図３に示すように、ハンドルロック１６がロック凹部１１Ａと係合状態あるときハンドル１１はロック状態にあり、使用者は回転部材５を回転させることができなくなる。
【００４１】
以上詳細に説明したように、本発明に係る錠付ハンドル１は以下の作用効果を有する。
（１）扉２の裏面から固定するための固定金具６０と、扉２を挟み固定金具６０と固定される固定板５０と、扉２を開閉するハンドル１１を有するハンドル部１０と、ハンドル部１０と固定板５０とのスペースを埋めるスペーサ４０と、を有する。ハンドル部１０は、ハンドル１１を移動可能にさせるソレノイド１５と、ＩＣタグ７１を備えるデジタルキー７０が装着されたときに、ＩＤデータを読取る読取り手段１９４と、解錠が許可されたデジタルキー７０のＩＤデータを記憶するメモリ１９３と、読み取り手段１９４が読取ったＩＤデータが、メモリ１９３が記憶するＩＤデータと一致したとき、ハンドルロック１６を非係合位置に移動させるコントローラ１９と、を有する。また、扉２の取付孔３を用いて後付けするものであることにより、現在使用している保管庫にそのまま取り付けることができる。
現在使用している保管庫の取付孔３をそのまま用いて取り付けることができることにより、もともと保管庫に取り付けられているロック機構である上ロック機構４３、下ロック機構４４及び開閉方向ロック機構４５を用いることができるため強固に施錠することができる。
【００４２】
また、本発明の錠付ハンドル１の開閉にはデジタルキー７０が使われている。デジタルキー７０は、把持部に内蔵された端子が挿入部に設けられているＩＣタグ７１を備える。デジタルキー７０が、装着されたときに、ＩＣデータ読取り手段１９４が、ＩＤデータを読取る。読取り手段１９４が読取ったＩＤデータが、メモリ１９３が記憶する解錠が許可されたデジタルキー７０のＩＤデータと一致したとき、コントローラ１９が起動してハンドル１１を可動可能な状態にする。
反対に、読取り手段１９４が読み取ったＩＤデータが、メモリ１９３が記憶する解錠が許可されたデジタルキー７０のＩＤデータと一致しないとき、コントローラ１９は起動せずハンドル１１を可動させることができない。
【００４３】
複数の保管庫に取付けられた複数の錠付ハンドル１のコントローラ１９に当該デジタルキー７０のＩＤデータを記憶させておく。オフィス内の全ての保管庫に本発明の錠付ハンドル１を採用すれば、同じ１つの鍵を所持しているだけで、オフィス内の全ての保管庫の全ての収納ボックスに対して、その人が正当な権限を有していれば、中の書類にアクセスすることができる。複数の人が利用しても、デジタルキー７０に内蔵されたＩＣタグにより、個人の認証を行い、その認証したデータに基づいて、その保管庫へのアクセス権を確認して、保管庫の開閉可能状態を制御しているため、アクセス権のない人による開閉を防止しつつ、利用者は、１つの鍵で必要とする多数の収納ボックスを開閉することができる。
【００４４】
また、施錠することができるようになるため、誰しもが保管庫に収容されている情報にアクセスできるわけではなくなるため、個人情報を厳重に保護することができる。それによって、プライバシーの問題を解決することができる。
また、現在使用している保管庫に、新しく錠付ハンドルを付けるのであれば、新しく保管庫を購入するよりも安価で購入でき、さらに、保管庫を変える必要がないため労力も要らない。
【００４５】
（２）扉施錠部材４は、扉に対して開閉方向にロックを掛ける開閉方向ロック機構４５及び扉に対して上下方向にロックを掛ける上ロック機構４３及び下ロック機構４４とを有することにより、もともと保管庫に取り付けられているロック機構である上下方向の施錠及び開閉方向の施錠を行うことができるため強固に施錠することができる。
【００４６】
（３）固定板５０に配線抜き５１が形成されていること、ハンドル部１０に形成された配線２３は、配線抜き５１及び取付孔３を挿通することにより、扉２の裏面２Ｂで配線することができる。そのため、配線を切断されたり、直接通電による解除を防止することができるためセキュリティ性を向上させることができる。
【００４７】
（４）固定板５０に位置決めピン８５を取り付けること、位置決めピン８５を取付孔３に合わせて扉２に取付を行うことにより、容易に錠付ハンドル１を扉２に取り付けることができる。
【００４８】
（５）既存の錠付ハンドルと錠付ハンドル１を付け替えできることにより、保管庫はそのままにセキュリティ性を向上させることができる。
【００４９】
尚、本発明は、上記実施の形態に限定されることなく、発明の趣旨を逸脱することのない範囲で色々な応用が可能である。
本実施形態においては、扉２と錠付ハンドル１を固定する際に固定金具６０を用いたが、固定金具６０を用いずに直接固定ネジで扉２と錠付ハンドルを固定することもできる。固定金具６０を用いるのは、もともと取り付けられていた錠付ハンドルが固定金具を使用している場合であり、固定金具を用いなくてもよいときは、もともと取り付けられていた錠付ハンドルが固定金具を用いずに固定ネジで直接固定している場合である。
【符号の説明】
【００５０】
１        錠付ハンドル
２        扉
４        扉施錠部材
１０      ハンドル部
１１      ハンドル
１５      ソレノイド
４０      スペーサ
５０      固定板
６０      固定金具
７０      デジタルキー
【図１】
0006517870.tif 000002
【図２】
0006517870.tif 000003
【図３】
0006517870.tif 000004
【図４】
0006517870.tif 000005
【図５】
0006517870.tif 000006
【図６】
0006517870.tif 000007
【図７】
0006517870.tif 000008
【図８】
0006517870.tif 000009
【図９】
0006517870.tif 000010
【図１０】
0006517870.tif 000011
【図１１】
0006517870.tif 000012
【図１２】
0006517870.tif 000013
【図１３】
0006517870.tif 000014
【図１４】
0006517870.tif 000015
【図１５】
0006517870.tif 000016
【図１６】
0006517870.tif 000017
【図１７】
0006517870.tif 000018
【図１８】
0006517870.tif 000019
【図１９】
0006517870.tif 000020